(57)【要約】【課題】ベースバンド信号のＩ／Ｑ信号の利得誤差をより単純な構成でかつ、処理の遅延を最小にして補正することができる無線信号受信装置を提供する。【解決手段】ベースバンド信号変換部（ＲＦ部１１）が変換したベースバンド信号をデジタル値に変換するＡＤコンバータ１２，１３と、ベースバンド信号のＩ成分、Ｑ成分の利得誤差を検出するＩ／Ｑ信号利得誤差検出部（Ｉ／Ｑ信号ゲイン算出部１４）と、Ｉ成分、Ｑ成分の利得誤差を補正するＩ／Ｑ信号利得誤差補正部（Ｉ／Ｑ信号ゲイン調整部１６）と、補正後のベースバンド信号を復調する復調部１８と、利得誤差補正後のＩ成分、Ｑ成分の利得誤差パラメータをメモリー１７に格納する利得誤差パラメータ管理部（メモリー制御部１５）とを備え、Ｉ／Ｑ信号ゲイン調整部１６はベースバンド信号のＩ成分、Ｑ成分の利得誤差をメモリー１７に格納された前回の利得誤差パラメータに基づいて補正する。【選択図】        図１
2005236734.tif 000002
【特許請求の範囲】
【請求項１】
無線信号をベースバンド信号に変換するベースバンド信号変換部と、
前記ベースバンド信号をデジタル値に変換するＡＤコンバータと、
前記デジタル値に変換されたベースバンド信号のＩ成分、Ｑ成分の利得誤差を検出するＩ／Ｑ信号利得誤差検出部と、
前記Ｉ成分、Ｑ成分の利得誤差を補正するＩ／Ｑ信号利得誤差補正部と、
前記利得誤差補正後のベースバンド信号を復調する復調部と、
前記利得誤差補正後のＩ成分、Ｑ成分の利得誤差パラメータをメモリーに格納して管理する利得誤差パラメータ管理部とを備え、
前記Ｉ／Ｑ信号利得誤差補正部は、次のベースバンド信号のＩ成分、Ｑ成分の利得誤差を補正する際に、前記利得誤差パラメータ管理部により前記メモリーから読み出された前回の利得誤差パラメータに基づいて補正し、
前記利得誤差パラメータ管理部は、補正後の最新の利得誤差パラメータを次回の補正に備えて前記メモリーに格納することを特徴とする無線信号受信装置。
【請求項２】
前記Ｉ／Ｑ信号利得誤差検出部は、前記復調部のＡＧＣ収束後にベースバンド信号のＩ成分、Ｑ成分の利得誤差を検出することを特徴とする請求項１に記載の無線信号受信装置。
【請求項３】
無線信号をベースバンド信号に変換するベースバンド信号変換部と、
前記ベースバンド信号をデジタル値に変換するＡＤコンバータと、
前記デジタル値に変換されたベースバンド信号のＩ成分、Ｑ成分のＤＣオフセットを検出するＩ／Ｑ信号ＤＣオフセット検出部と、
前記Ｉ成分、Ｑ成分のＤＣオフセットを補正するＩ／Ｑ信号ＤＣオフセット補正部と、
前記ベースバンド信号を復調する復調部と、
前記ＤＣオフセット補正後のＩ成分、Ｑ成分のＤＣオフセットパラメータをメモリーに格納して管理するＤＣオフセットパラメータ管理部とを備え、
前記Ｉ／Ｑ信号ＤＣオフセット補正部は、次のベースバンド信号のＩ成分、Ｑ成分のＤＣオフセットを補正する際に、前記ＤＣオフセットパラメータ管理部により前記メモリーから読み出された前回のＤＣオフセットパラメータに基づいて補正し、
前記ＤＣオフセットパラメータ管理部は、補正後の最新のＤＣオフセットパラメータを次回の補正に備えて前記メモリーに格納することを特徴とする無線信号受信装置。
【請求項４】
前記Ｉ／Ｑ信号ＤＣオフセット検出部は、前記復調部のＡＧＣ収束後にベースバンド信号のＩ成分、Ｑ成分のＤＣオフセットを検出することを特徴とする請求項３に記載の無線信号受信装置。
【発明の詳細な説明】
【技術分野】
【０００１】
本発明は、ベースバンド信号のＩ成分、Ｑ成分を補正する構成を備えた無線信号受信装置に関する。
【背景技術】
【０００２】
従来、ベースバンド信号の一部を直交復調器の前で帰還し、基準電圧と比較することで誤差電圧を検出し、ベースバンド信号の基準電圧を可変にすることによりＤＣ成分を一定に保つ無線機が知られている（例えば特許文献１参照。）。
【０００３】
また、高周波を中間周波数に変換するＲＦ／ＩＦ変換器と、ＩＱを分離するＩＱ分離器と、高周波等のノイズを除去するフィルタと、フィルタの出力をサンプリングする逓倍サンプラと、ＩＱ歪みを推定、補正するアルゴリズムを実行するとともに直交移相復調を行うＤＳＰ等からなるデジタル信号処理部とを備えたデジタル無線受信機が知られている（例えば特許文献２参照。）。
【０００４】
【特許文献１】特開平１１−８８４５４号公報
【特許文献２】特開平９−１３０３３７号公報
【発明の開示】
【発明が解決しようとする課題】
【０００５】
上述した従来技術においては、何れも構成が複雑であり、かつ処理の度にＤＣオフセットを測定する時間が必要であるため、処理に遅延が生ずる欠点がある。特にベースバンド信号のフレームを短くすることができず、この観点からも処理時間の短縮が困難であり遅延時間が増大する欠点がある。
【０００６】
本発明は、上記課題に鑑みてなされたものであり、ベースバンド信号のＩ／Ｑ信号の利得誤差、もしくはＤＣオフセットの補正を行う際に別のタイミング即ち１つ前に受信したフレームを処理するタイミングにて学習した所定のパラメータを用いることで、ベースバンド信号のＩ／Ｑ信号の利得誤差、もしくはＤＣオフセットをより単純な構成でかつ、処理の遅延を最小にして補正することができる無線信号受信装置を提供することを目的とする。
【課題を解決するための手段】
【０００７】
本発明に係る請求項１に記載の発明は、 無線信号をベースバンド信号に変換するベースバンド信号変換部と、前記ベースバンド信号をデジタル値に変換するＡＤコンバータと、
前記デジタル値に変換されたベースバンド信号のＩ成分、Ｑ成分の利得誤差を検出するＩ／Ｑ信号利得誤差検出部と、前記Ｉ成分、Ｑ成分の利得誤差を補正するＩ／Ｑ信号利得誤差補正部と、前記利得誤差補正後のベースバンド信号を復調する復調部と、前記利得誤差補正後のＩ成分、Ｑ成分の利得誤差パラメータをメモリーに格納して管理する利得誤差パラメータ管理部とを備え、前記Ｉ／Ｑ信号利得誤差補正部は、次のベースバンド信号のＩ成分、Ｑ成分の利得誤差を補正する際に、前記利得誤差パラメータ管理部により前記メモリーから読み出された前回の利得誤差パラメータに基づいて補正し、前記利得誤差パラメータ管理部は、補正後の最新の利得誤差パラメータを次回の補正に備えて前記メモリーに格納することを特徴とする。
【０００８】
請求項２に記載の発明は、請求項１に記載の発明において前記Ｉ／Ｑ信号利得誤差検出部は、前記復調部のＡＧＣ収束後にベースバンド信号のＩ成分、Ｑ成分の利得誤差を検出することを特徴とする。
【０００９】
請求項３に記載の発明は、 無線信号をベースバンド信号に変換するベースバンド信号変換部と、前記ベースバンド信号をデジタル値に変換するＡＤコンバータと、前記デジタル値に変換されたベースバンド信号のＩ成分、Ｑ成分のＤＣオフセットを検出するＩ／Ｑ信号ＤＣオフセット検出部と、前記Ｉ成分、Ｑ成分のＤＣオフセットを補正するＩ／Ｑ信号ＤＣオフセット補正部と、前記ベースバンド信号を復調する復調部と、前記ＤＣオフセット補正後のＩ成分、Ｑ成分のＤＣオフセットパラメータをメモリーに格納して管理するＤＣオフセットパラメータ管理部とを備え、前記Ｉ／Ｑ信号ＤＣオフセット補正部は、次のベースバンド信号のＩ成分、Ｑ成分のＤＣオフセットを補正する際に、前記ＤＣオフセットパラメータ管理部により前記メモリーから読み出された前回のＤＣオフセットパラメータに基づいて補正し、前記ＤＣオフセットパラメータ管理部は、補正後の最新のＤＣオフセットパラメータを次回の補正に備えて前記メモリーに格納することを特徴とする。
【００１０】
請求項４に記載の発明は、請求項３に記載の発明において前記Ｉ／Ｑ信号ＤＣオフセット検出部は、前記復調部のＡＧＣ収束後にベースバンド信号のＩ成分、Ｑ成分のＤＣオフセットを検出することを特徴とする。
【発明の効果】
【００１１】
本発明によれば、ベースバンド信号のＩ／Ｑ信号の利得誤差、もしくはＤＣオフセットの補正を行う際に別のタイミング即ち１つ前に受信したフレームを処理するタイミングにて学習した所定のパラメータを用いるため、ベースバンド信号のＩ／Ｑ信号の利得誤差もしくはＤＣオフセットをより単純な構成でかつ、処理の遅延を最小にして補正を行うことが可能である。即ちＩ／Ｑ信号の利得誤差もしくはＤＣオフセットの学習と補正のプロセスを時間的に分離したことにより単純な構成を以って処理の遅延が最小で補正を行うことが可能となる。また、本発明によれば、復調部のＡＧＣ収束後にベースバンド信号のＩ成分、Ｑ成分の利得誤差もしくはＤＣオフセットを検出するように構成したため、利得誤差もしくはＤＣオフセットの補正を高精度に行うことが可能であり、該補正に対して信頼性を向上させることが可能である。
【発明を実施するための最良の形態】
【００１２】
以下に本発明の第１の実施の形態を図１に基づいて説明する。図１は、本実施の形態に係る無線信号受信装置の構成を示すブロック図である。本例の無線信号受信装置１０は、図１に示すように、ＲＦ部（ベースバンド信号変換部に相当）１１、ＡＤコンバータ１２，１３、Ｉ／Ｑ信号ゲイン算出部（Ｉ／Ｑ信号利得誤差検出部に相当）１４、メモリー制御部（利得誤差パラメータ管理部に相当）１５、Ｉ／Ｑ信号ゲイン調整部（Ｉ／Ｑ信号利得誤差補正部に相当）１６、メモリー１７、及び、復調部１８を備えて構成されている。
【００１３】
ＲＦ部１１は、例えば受信アンテナ（図示せず）を通して受信した無線信号をベースバンド信号に変換するものでミキサー回路（図示せず）を含む。ＡＤコンバータ１２は、ＲＦ部１１から出力されたベースバンド信号の例えばＩ信号をＡ／Ｄ変換する。ＡＤコンバータ１３は、ＲＦ部１１から出力されたベースバンド信号の例えばＱ信号をＡ／Ｄ変換する。Ｉ／Ｑ信号ゲイン算出部１４は、ＡＤコンバータ１２で処理されたＩ信号のゲインとＡＤコンバータ１３で処理されたＱ信号のゲインとのゲイン差（即ち利得誤差）を検出する。メモリー制御部１５は、Ｉ／Ｑ信号ゲイン算出部１４が今回算出した１フレームの利得誤差パラメータ（即ちＩ信号、Ｑ信号のパワー即ちデジタル値の比）を後述するタイミングでメモリー１７に書き込む一方で、Ｉ／Ｑ信号ゲイン調整部１６が次回に利得誤差の補正を行う際にメモリー１７から前回算出された１フレームの利得誤差パラメータを読み出してＩ／Ｑ信号ゲイン調整部１６に出力する。
【００１４】
一方、Ｉ／Ｑ信号ゲイン調整部１６は、ＡＤコンバータ１２，１３を通してベースバンド信号（ベースバンド信号入力Ｉ、ベースバンド信号入力Ｑ）を取得する一方で、例えばメモリー制御部１５を介してメモリー１７から前回の１フレームの利得誤差パラメータを取得し、前回の利得誤差パラメータに基づいてベースバンド信号（ベースバンド信号入力Ｉ、ベースバンド信号入力Ｑ）のゲイン差（即ち利得誤差）を補正する。補正にあたっては、例えば、一つには、前回の１フレームの利得誤差パラメータ、即ち前回のＩ信号のデジタル値及びＱ信号のデジタル値の何れか大きい値の方に逆数（例えば１／２等）を乗算し、これによる利得誤差パラメータ（Ｉ信号、Ｑ信号のパワーの比α（ｎ））を用いてベースバンド信号入力Ｉ、ベースバンド信号入力Ｑのゲイン差（即ち利得誤差）を補正するという態様がある。また、一つには、即ち前回のＩ信号のデジタル値及びＱ信号のデジタル値の何れか小さい値の方に所定の数（例えば数値２等）を乗算し、これによる利得誤差パラメータ（Ｉ信号、Ｑ信号のパワーの比α（ｎ））を用いてベースバンド信号入力Ｉ、ベースバンド信号入力Ｑのゲイン差（即ち利得誤差）を補正するという態様がある。
【００１５】
復調部１８は、Ｉ／Ｑ信号ゲイン調整部１６が出力した各補正後のベースバンド信号（Ｉ信号及びＱ信号）を受信して復調する。復調部１８は、復調後にメモリー制御部１５に受信完了信号を出力して、メモリー制御部１５に今回Ｉ／Ｑ信号ゲイン算出部１４が算出した利得誤差パラメータ、即ちＩ信号、Ｑ信号のパワーの比α（ｎ）のデータをメモリー１７に書込む処理を行わせる。
【００１６】
次に本実施の形態の無線信号受信装置１０の動作について説明する。受信タイミングｎにおいて、ＲＦ１１は、無線信号をベースバンド帯域の信号に変換する。このベースバンド信号をＡＤコンバータ１２及び１３によりデジタル信号に変換する。このデジタル信号に変換後のＩ信号及びＱ信号は、Ｉ／Ｑ信号ゲイン算出部１４とＩ／Ｑ信号ゲイン調整部１６に出力される。Ｉ／Ｑ信号ゲイン算出部１４においては、データ受信中のベースバンド信号入力Ｉ（Ｉ信号）とベースバンド信号入力Ｑ（Ｑ信号）のパワーの比α（ｎ）を算出し、そのパワーの比α（ｎ）をメモリー制御部１５に出力する。
【００１７】
一方、Ｉ／Ｑ信号ゲイン調整部１６においては、受信タイミングｎ−１において学習されており、メモリー１７に格納されている受信タイミングｎ−１におけるパワーの比α（ｎ−１）を例えばメモリー制御部１５を介して取得し、このパワーの比α（ｎ−１）を使用して受信タイミングｎにおけるベースバンド信号のＩ信号及びＱ信号の補正を行う。補正されたベースバンド信号は復調部１８において復調されて受信データとして出力される。また、復調部１８において受信完了を検出すると、メモリー制御部１５に受信完了信号を送る。そしてメモリー制御部１５は受信完了信号を受け取ったタイミングで、受信タイミングｎにおける利得誤差パラメータであるパワーの比α（ｎ）をメモリー１７に書き込む。このパワーの比α（ｎ）は次の受信タイミングｎ＋１で使用される。
【００１８】
本実施の形態においては、ベースバンド信号のＩ／Ｑ信号の利得誤差の補正を行う際に別のタイミング即ち１つ前に受信した受信信号のフレームを処理するタイミングにて学習したＩ／Ｑ信号の利得誤差パラメータ即ちパワーの比α（ｎ−１）を用いることで、ベースバンド信号のＩ／Ｑ信号の利得誤差をより単純な構成でかつ、処理の遅延を最小にして補正を行うことが可能であり、このため受信信号の１フレーム長を長く設定しても処理の高速化を図ることが可能である。
【００１９】
尚、本実施の形態においては、Ｉ／Ｑ信号ゲイン調整部１６がベースバンド信号（Ｉ信号、Ｑ信号）を補正する際に、メモリー制御部１５がメモリー１７から前回算出された１フレームの利得誤差パラメータを読み出してＩ／Ｑ信号ゲイン調整部１６に出力するように構成した場合を例示しているが、Ｉ／Ｑ信号ゲイン調整部１６が直接にメモリー１７から前回算出された１フレームの利得誤差パラメータを読み出すようにしても良いことは勿論である。
【００２０】
次に、本発明の第２の実施の形態を図２に基づいて説明する。図２は、本実施の形態に係る無線信号受信装置の構成を示すブロック図である。本実施の形態の無線信号受信装置２０で、図１に示す部分と同一部分には同一符合を付して説明を省略する。
【００２１】
一般的にＡＤコンバータ１２，１３には、図３に示すように、入力電圧と出力デジタル値の関係が線形な領域（線形領域ａ）と非線形な領域（非線形領域ｂ，ｃ）が存在する。非線形領域ｂ，ｃでＩ／Ｑ信号のゲイン差（即ち利得誤差）を検出すると誤差が大きくなり、正常な補正の信頼性が低下する。そこで、本実施の形態においては復調部１８のＡＧＣ（時押利得制御）が収束した（即ち入力電圧が線形領域ａに入った）時点からＩ／Ｑ信号のゲイン差を検出することにより、正確なＩ／Ｑ信号の正確なゲイン補正を行わせる。
【００２２】
本実施の形態の無線信号受信装置２０は、基本的な動作は第１の実施の形態の場合と同様であるが、Ｉ／Ｑ信号のゲイン差を検出するＩ／Ｑ信号ゲイン算出部１４が復調部１８からのＡＧＣ収束完了信号がアクティブになった時点から動作を開始する点が相違する。
【００２３】
即ち復調部１８では、ＡＧＣ制御信号にてＲＦ（高周波信号）のゲインを調整し、ＲＦでのゲインが決定された段階（ＡＧＣ収束完了の段階）で、ＡＧＣ収束完了信号をＩ／Ｑ信号ゲイン算出部１４に送る。Ｉ／Ｑ信号ゲイン算出部１４では、ＡＧＣ収束完了信号の入力時にデータ受信中のベースバンド信号入力Ｉとベースバンド信号入力Ｑのパワーの比α（ｎ）を算出し、そのα（ｎ）をメモリー制御部１５に転送する。さらに、復調部１８は受信完了を検出すると、メモリー制御部１５に受信完了信号を送り、メモリー制御部１５にパワーの比α（ｎ）をメモリー１７に書き込む処理を行わせる。このパワーの比α（ｎ）は次の受信タイミングｎ＋１で使用される。
【００２４】
本実施の形態においては、入力電圧と出力デジタル値の関係が線形な領域（線形領域ａ）でゲイン差（即ち利得誤差）を検出するようにしたため、Ｉ／Ｑ信号の補正を高精度に行うことが可能となり、補正の信頼性を向上させることができる。
【００２５】
次に、本発明の第３の実施の形態を図４に基づいて説明する。図４は、本実施の形態に係る無線信号受信装置の構成を示すブロック図である。尚、図１に示す部分と同一部分には同一符合を付して説明を省略する。本例の無線信号受信装置３０は、図４に示すように、ＤＣオフセット算出部（Ｉ／Ｑ信号ＤＣオフセット検出部に相当）４４、メモリー制御部（ＤＣオフセットパラメータ管理部に相当）４５、及び、ＤＣオフセット調整部（Ｉ／Ｑ信号ＤＣオフセット補正部に相当）４６を備えて構成されている点に特徴がある。
【００２６】
ＤＣオフセット算出部４４は、ＡＤコンバータ１２で処理されたＩ信号のＤＣオフセットとＡＤコンバータ１３で処理されたＱ信号のＤＣオフセットンを検出する。メモリー制御部４５は、ＤＣオフセット算出部４４が今回算出した１フレームのＤＣオフセットパラメータ（即ちＡＤコンバータ１２，１３の出力値βｉ（ｎ），βｑ（ｎ））を後述するタイミングでメモリー１７に書き込む一方で、ＤＣオフセット調整部４６が次回にＤＣオフセットの補正を行う際にメモリー１７から前回算出された１フレームのＤＣオフセット（即ちＡＤコンバータ１２，１３の出力値βｉ（ｎ−１），βｑ（ｎ−１））を読み出してＤＣオフセット調整部４６に出力する。
【００２７】
一方、ＤＣオフセット調整部４６は、ＡＤコンバータ１２，１３を通してベースバンド信号（ベースバンド信号入力Ｉ、ベースバンド信号入力Ｑ）を取得する一方で、例えばメモリー制御部４５を介してメモリー１７から前回の１フレームのＤＣオフセットパラメータ（βｉ（ｎ−１），βｑ（ｎ−１））を取得し、該前回のＤＣオフセットパラメータに基づいてベースバンド信号（ベースバンド信号入力Ｉ、ベースバンド信号入力Ｑ）のＤＣオフセットを補正する。補正にあたっては、今回のＤＣオフセットパラメータ（βｉ（ｎ），βｑ（ｎ））から前回のＤＣオフセットパラメータ（βｉ（ｎ−１），βｑ（ｎ−１））を減算することで行うという態様がある。
【００２８】
次に本実施の形態の無線信号受信装置３０の動作について説明する。受信タイミングｎにおいて、ＲＦ１１は、無線信号をベースバンド帯域の信号に変換する。このベースバンド信号をＡＤコンバータ１２及び１３によりデジタル信号に変換する。このデジタル信号に変換後のＩ信号及びＱ信号は、ＤＣオフセット算出部４４とＤＣオフセット調整部４６に出力される。ＤＣオフセット算出部４４においては、データ受信中のベースバンド信号入力Ｉ（Ｉ信号）とベースバンド信号入力Ｑ（Ｑ信号）のデジタル値、即ちＤＣオフセットパラメータ（βｉ（ｎ），βｑ（ｎ））を算出して、これを一時記憶するかメモリー制御部４５に出力する。
【００２９】
一方、ＤＣオフセット調整部４６においては、受信タイミングｎ−１において学習されており、即ちメモリー１７に格納されている前回のＤＣオフセットパラメータ（βｉ（ｎ−１），βｑ（ｎ−１））を例えばメモリー制御部４５を介して取得し、この前回のＤＣオフセットパラメータ（βｉ（ｎ−１），βｑ（ｎ−１））を使用して受信タイミングｎにおけるベースバンド信号のＩ信号及びＱ信号の補正を行う。補正にあたっては、上述した減算を以って対応する。補正されたベースバンド信号は復調部１８において復調されて受信データとして出力される。また、復調部１８において受信完了を検出すると、メモリー制御部４５に受信完了信号を送る。そしてメモリー制御部４５は受信完了信号を受け取ったタイミングで、ＤＣオフセット算出部４４から取得（もしくはＤＣオフセット算出部４４に一時記憶）した受信タイミングｎにおけるＤＣオフセットパラメータ（βｉ（ｎ），βｑ（ｎ））をメモリー１７に書き込む。この（βｉ（ｎ），βｑ（ｎ））は次の受信タイミングｎ＋１で使用される。
【００３０】
本実施の形態においては、ベースバンド信号のＩ／Ｑ信号のＤＣオフセットの補正を行う際に別のタイミング即ち１つ前に受信した受信信号のフレームを処理するタイミングにて学習したＩ／Ｑ信号のＤＣオフセットパラメータ（βｉ（ｎ−１），βｑ（ｎ−１））を用いることで、ベースバンド信号のＩ／Ｑ信号のＤＣオフセットをより単純な構成でかつ、処理の遅延を最小にして補正を行うことが可能であり、このため受信信号の１フレーム長を長く設定しても処理の高速化を図ることが可能である。
【００３１】
尚、本実施の形態においては、ＤＣオフセット調整部４６がベースバンド信号（Ｉ信号、Ｑ信号）を補正する際に、メモリー制御部４５がメモリー１７から前回算出された１フレームのＤＣオフセットパラメータを読み出してＤＣオフセット調整部４６に出力するように構成した場合を例示しているが、ＤＣオフセット調整部４６が直接にメモリー１７から前回検出された１フレームのＤＣオフセットパラメータを読み出すようにしても良いことは勿論である。
【００３２】
次に、本発明の第４の実施の形態を図５に基づいて説明する。図５は、本実施の形態に係る無線信号受信装置の構成を示すブロック図である。本実施の形態の無線信号受信装置４０で、図４に示す部分と同一部分には同一符号を付して説明を省略する。
【００３３】
一般的にＡＤコンバータ１２，１３には、図３に示すように、入力電圧と出力デジタル値の関係が線形な領域（線形領域ａ）と非線形な領域（非線形領域ｂ，ｃ）が存在することは既に述べた通りであり、非線形領域ｂ，ｃでＩ／Ｑ信号のＤＣオフセットを検出すると誤差が大きくなり、正常な補正の信頼性が低下する。そこで、本実施の形態においても復調部１８のＡＧＣ（時押利得制御）が収束した（即ち入力電圧が線形領域ａに入った）時点からＩ／Ｑ信号のＤＣオフセットを検出することにより、正確なＩ／Ｑ信号のＤＣオフセット補正を行わせる。
【００３４】
本実施の形態の無線信号受信装置４０は、基本的な動作は第３の実施の形態の場合と同様であるが、Ｉ／Ｑ信号のＤＣオフセットを検出するＤＣオフセット算出部４４が復調部１８からＡＧＣ収束完了信号がアクティブになった時点から動作を開始する点が相違する。
【００３５】
即ち復調部１８では、ＡＧＣ制御信号にてＲＦ（高周波信号）のゲインを調整し、ＲＦでのゲインが決定された段階（ＡＧＣ収束完了の段階）で、ＡＧＣ収束完了信号をＤＣオフセット算出部４４に送る。ＤＣオフセット算出部４４では、ＡＧＣ収束完了信号の入力時にデータ受信中のベースバンド信号入力Ｉとベースバンド信号入力ＱのＤＣオフセットパラメータβｉ（ｎ），βｑ（ｎ）を算出し、そのＤＣオフセットパラメータβｉ（ｎ），βｑ（ｎ）をメモリー制御部４５に転送する。さらに、復調部１８は受信完了を検出すると、メモリー制御部４５に受信完了信号を送り、メモリー制御部４５に受信完了信号を受け取ったタイミングでＤＣオフセットパラメータβｉ（ｎ），βｑ（ｎ）をメモリー１７に書き込む処理を行わせる。このＤＣオフセットパラメータβｉ（ｎ），βｑ（ｎ）は次の受信タイミングｎ＋１で使用される。
【００３６】
本実施の形態においては、入力電圧と出力デジタル値の関係が線形な領域（線形領域ａ）でＤＣオフセットを検出するようにしたため、Ｉ／Ｑ信号の補正を高精度に行うことが可能となり、補正の信頼性を向上させることができる。
【図面の簡単な説明】
【００３７】
【図１】本発明の第１の実施の形態に係る無線信号受信装置の構成を示すブロック図である。
【図２】本発明の第２の実施の形態に係る無線信号受信装置の構成を示すブロック図である。
【図３】ＡＤコンバータの特性を示すグラフである。
【図４】本発明の第３の実施の形態に係る無線信号受信装置の構成を示すブロック図である。
【図５】本発明の第４の実施の形態に係る無線信号受信装置の構成を示すブロック図である。
【符号の説明】
【００３８】
１０，２０，３０，４０  無線信号受信装置
１１  ＲＦ部
１２，１３  ＡＤコンバータ
１４  Ｉ／Ｑ信号ゲイン算出部
１５，４５  メモリー制御部
１６  Ｉ／Ｑ信号ゲイン調整部
１７  メモリー
１８  復調部
４４  ＤＣオフセット算出部
４６  ＤＣオフセット調整部
【図１】
2005236734.tif 000003
【図２】
2005236734.tif 000004
【図３】
2005236734.tif 000005
【図４】
2005236734.tif 000006
【図５】
2005236734.tif 000007